(57)【要約】【課題】調整式歯顎矯正ブリッジを提供する。【解決手段】主に矯正ワイヤー固定装置、調整式装置、歯面固定装置を含む。該矯正ワイヤー固定装置は角度、弧度、厚みを持ち、１個或いは複数の矯正ワイヤーの固定に用いる。該調整式装置は該矯正ワイヤー固定装置の下方において固定し、該矯正ワイヤー固定装置を回転と固定が可能な構造とする。こうして該矯正ワイヤー固定装置は矯正ワイヤーを回転させ引っ張ることにより、歯の矯正に対して応力を発生する。該歯面固定装置は該調整式装置を歯の歯面に固定する。【選択図】図２
2008073312.tif 000002
【特許請求の範囲】
【請求項１】
矯正ワイヤー固定爪、陽歯リング、外カバー台、弾性体及び歯面固定台板を含み、
該陽歯リングは該矯正ワイヤー固定爪下方に固定し、該陽歯リングは光滑外リング面と陽歯構造リング面を具え、該陽歯構造リング面は該光滑外リング面下方に位置し、しかも該陽歯構造リング面の直径は該光滑外リング面の直径より大きく、
該外カバー台は該陽歯リングに被さり押さえ、該外カバー台は陰歯構造リング面と光滑内リング面を具え、該光滑内リング面は該陰歯構造リング面下方に位置し、該光滑内リング面の直径は該陰歯構造リング面の直径より大きく、該陰歯構造リング面の直径は該外カバー台上方開口の直径より大きく、該陰歯構造リング面と該陽歯構造リング面は相互に噛合い、
該弾性体は該外カバー台の内と該陽歯リング下方に設置し、
該歯面固定台板は該弾性体の下方に位置し、該歯面固定台板は該外カバー台に連接することを特徴とする調整式歯顎矯正ブリッジ。
【請求項２】
請求項１記載の調整式歯顎矯正ブリッジにおいて、前記弾性体は弾性金属片を含むことを特徴とする調整式歯顎矯正ブリッジ。
【請求項３】
矯正ワイヤー固定装置、調整式装置、歯面固定装置を含み、
該矯正ワイヤー固定装置は該矯正ワイヤーを固定し、
該調整式装置は該矯正ワイヤー固定装置下方に固定し、該調整式装置は該矯正ワイヤー固定装置に回転と固定を提供する構造で、こうして該矯正ワイヤー固定装置は回転、引っ張りにより、該矯正ワイヤー固定装置の歯の矯正に対する力を調整し、
該歯面固定装置は該調整式装置を歯面に固定することを特徴とする調整式歯顎矯正ブリッジ。
【請求項４】
請求項３記載の調整式歯顎矯正ブリッジにおいて、前記矯正ワイヤー固定装置は矯正ワイヤー固定爪を含むことを特徴とする調整式歯顎矯正ブリッジ。
【請求項５】
請求項３記載の調整式歯顎矯正ブリッジにおいて、前記矯正ワイヤー固定装置は矯正ワイヤー固定管を含むことを特徴とする調整式歯顎矯正ブリッジ。
【請求項６】
請求項３記載の調整式歯顎矯正ブリッジにおいて、前記調整式装置は内リング、外リング、弾性体を含み、
該内リングは該矯正ワイヤー固定装置下方において固定し、該内リングの外リング面は複数の陽歯構造を具え下半分を取り巻き、
該外リングは該内リングに被さり押さえ、該外リングの内リング面には複数の陰歯構造を具え上半分を取り巻き、該陰歯構造が形成するリング面の直径は該外リングの内リング面の直径より小さく、該外リング上方開口の直径は該陰歯構造が形成するリング面の直径より小さく、しかも該陰歯構造と該陽歯構造は相互に噛合い、
該弾性体は該外リングの内と該内リングの下方に設置することを特徴とする調整式歯顎矯正ブリッジ。
【請求項７】
請求項６記載の調整式歯顎矯正ブリッジにおいて、前記弾性体は弾性金属片を含むことを特徴とする調整式歯顎矯正ブリッジ。
【請求項８】
請求項３記載の調整式歯顎矯正ブリッジにおいて、前記調整式装置は内リング、外リングを含み、
該内リングは該矯正ワイヤー固定装置下方において固定し、該内リングの外リング面は複数の第一逆防止陽歯構造を具え、
該外リングは該内リングに被さり押さえ、該外リングの内リング面には複数の第二逆防止陽歯構造を具え、該外リング上方開口の直径は該第一逆防止陽歯構造が形成するリング面の直径より小さいことを特徴とする調整式歯顎矯正ブリッジ。
【請求項９】
請求項３記載の調整式歯顎矯正ブリッジにおいて、前記歯面固定装置は歯面固定台板を含むことを特徴とする調整式歯顎矯正ブリッジ。
【発明の詳細な説明】
【技術分野】
【０００１】
本発明は一種の歯列矯正器に関する。特に一種の調整式歯顎矯正ブリッジに係る。
【背景技術】
【０００２】
歯顎矯正の臨床においては、角度/傾斜(tipping)を正しくすべき歯、或いは傾斜させるべき歯の矯正ステップで、その割合が最も高く、しかも臨床上最も多くの時間を費やすのは、特に歯顎矯正において、後期或いは最終完成前の段階(finishing stage)である。しかも公知の歯顎矯正ブリッジは整っていない歯、或いは水平第三臼歯の矯正に対しては、矯正ワイヤーの取り付けが困難であったばかりでなく(歯の傾斜角が30〜90度である時には矯正できない、或いは矯正が困難である等)、根本的に取り付けそのものができない。さらに、矯正初期は不規則な配列の歯列の制限を受け、もし細いワイヤー或いは柔らか過ぎるワイヤーを使用したなら、容易に緩んでしまい、施力不足とそれ自体で支えられない等の問題が、矯正治療の進度に影響を及ぼす。現行の矯正装置はまた歯の受力の不均衡を招き(最適な矯正力optimal forceへの達成が困難)、歯に過度の力がかかり傷つける状況をも発生させ、しかも矯正ワイヤーもまた弾性疲労で断裂し易くなる。
【０００３】
さらに矯正ブリッジ接着の位置も十分に正確である必要があり、位置が不良な矯正ブリッジは取り外し、或いは湾曲矯正ワイヤーにより補助しなければならず、あまりにも多くの診察時間を浪費し、高度に熟練した臨床技術を必要とする。
【０００４】
また、全体的な歯顎矯正において交換が必要な矯正ワイヤーは、多種の異なる材質と多種の規格を使用する必要がある。さらには、公知の矯正ブリッジの最大の欠点は特殊な状況、ニーズに対応することができず、微調整が容易でないことである。すなわち、歯顎矯正完成前の段階において完成が容易でなく、この過程はより多くの診療時間(毎回約30〜60分)を費やす必要があり、及びブリッジの取り外し時期を遅らせる。これにより、元々は１年半で完成予定の症例が２年半に延びたり、さらには遥かに長くなったりすることもある。
【発明の開示】
【発明が解決しようとする課題】
【０００５】
本発明は上記構造の問題点を解決した調整式歯顎矯正ブリッジを提供するものである。
【０００６】
本発明は調整式歯顎矯正ブリッジを提供する。それは主に矯正ワイヤー固定装置、調整式装置、歯面固定装置を含み、
該矯正ワイヤー固定装置は角度、弧度、厚みを持ち、１個或いは複数の矯正ワイヤーの固定に用い、その形状は４つめ、めくり上げ式、或いは１個又は複数の管状構造で、
該調整式装置は該矯正ワイヤー固定装置の下方において固定し、該矯正ワイヤー固定装置を回転と固定が可能な構造とし、こうして該矯正ワイヤー固定装置は矯正ワイヤーを回転させ引っ張ることにより矯正ワイヤーに変形を生じさせ、該矯正ワイヤーが生じる力により歯に対して特定の大きさ及び特定の性質の矯正力を発揮し、
該歯面固定装置は該調整式装置を歯の歯面に固定する。
【０００７】
すなわちそれは矯正ワイヤー固定爪、陽歯リング、外カバー台、弾性体、歯面固定台板を含み、
該陽歯リングは該矯正ワイヤー固定爪下方に固定し、該陽歯リングは光滑外リング面と陽歯構造リング面を具え、該陽歯構造リング面は該光滑外リング面下方に位置し、しかも該陽歯構造リング面の直径は該光滑外リング面の直径より大きく、
該外カバー台は該陽歯リングに被さり押さえ、該外カバー台は陰歯構造リング面と光滑内リング面を具え、該光滑内リング面は該陰歯構造リング面下方に位置し、該光滑内リング面の直径は該陰歯構造リング面の直径より大きく、該陰歯構造リング面の直径は該外カバー台上方開口の直径より大きく、該陰歯構造リング面と該陽歯構造リング面は相互に噛合い、
該弾性体は該外カバー台の内と該陽歯リング下方に設置し、
該歯面固定台板は該弾性体の下方に位置し、該歯面固定台板は該外カバー台底部に連接する。
【課題を解決するための手段】
【０００８】
請求項１の発明は、矯正ワイヤー固定爪、陽歯リング、外カバー台、弾性体及び歯面固定台板を含み、
該陽歯リングは該矯正ワイヤー固定爪下方に固定し、該陽歯リングは光滑外リング面と陽歯構造リング面を具え、該陽歯構造リング面は該光滑外リング面下方に位置し、しかも該陽歯構造リング面の直径は該光滑外リング面の直径より大きく、
該外カバー台は該陽歯リングに被さり押さえ、該外カバー台は陰歯構造リング面と光滑内リング面を具え、該光滑内リング面は該陰歯構造リング面下方に位置し、該光滑内リング面の直径は該陰歯構造リング面の直径より大きく、該陰歯構造リング面の直径は該外カバー台上方開口の直径より大きく、該陰歯構造リング面と該陽歯構造リング面は相互に噛合い、
該弾性体は該外カバー台の内と該陽歯リング下方に設置し、
該歯面固定台板は該弾性体の下方に位置し、該歯面固定台板は該外カバー台に連接することを特徴とする調整式歯顎矯正ブリッジとしている。
請求項２の発明は、請求項１記載の調整式歯顎矯正ブリッジにおいて、前記弾性体は弾性金属片を含むことを特徴とする調整式歯顎矯正ブリッジとしている。
請求項３の発明は、矯正ワイヤー固定装置、調整式装置、歯面固定装置を含み、
該矯正ワイヤー固定装置は該矯正ワイヤーを固定し、
該調整式装置は該矯正ワイヤー固定装置下方に固定し、該調整式装置は該矯正ワイヤー固定装置に回転と固定を提供する構造で、こうして該矯正ワイヤー固定装置は回転、引っ張りにより、該矯正ワイヤー固定装置の歯の矯正に対する力を調整し、
該歯面固定装置は該調整式装置を歯面に固定することを特徴とする調整式歯顎矯正ブリッジとしている。
請求項４の発明は、請求項３記載の調整式歯顎矯正ブリッジにおいて、前記矯正ワイヤー固定装置は矯正ワイヤー固定爪を含むことを特徴とする調整式歯顎矯正ブリッジとしている。
請求項５の発明は、請求項３記載の調整式歯顎矯正ブリッジにおいて、前記矯正ワイヤー固定装置は矯正ワイヤー固定管を含むことを特徴とする調整式歯顎矯正ブリッジとしている。
請求項６の発明は、請求項３記載の調整式歯顎矯正ブリッジにおいて、前記調整式装置は内リング、外リング、弾性体を含み、
該内リングは該矯正ワイヤー固定装置下方において固定し、該内リングの外リング面は複数の陽歯構造を具え下半分を取り巻き、
該外リングは該内リングに被さり押さえ、該外リングの内リング面には複数の陰歯構造を具え上半分を取り巻き、該陰歯構造が形成するリング面の直径は該外リングの内リング面の直径より小さく、該外リング上方開口の直径は該陰歯構造が形成するリング面の直径より小さく、しかも該陰歯構造と該陽歯構造は相互に噛合い、
該弾性体は該外リングの内と該内リングの下方に設置することを特徴とする調整式歯顎矯正ブリッジとしている。
請求項７の発明は、請求項６記載の調整式歯顎矯正ブリッジにおいて、前記弾性体は弾性金属片を含むことを特徴とする調整式歯顎矯正ブリッジとしている。
請求項８の発明は、請求項３記載の調整式歯顎矯正ブリッジにおいて、前記調整式装置は内リング、外リングを含み、
該内リングは該矯正ワイヤー固定装置下方において固定し、該内リングの外リング面は複数の第一逆防止陽歯構造を具え、
該外リングは該内リングに被さり押さえ、該外リングの内リング面には複数の第二逆防止陽歯構造を具え、該外リング上方開口の直径は該第一逆防止陽歯構造が形成するリング面の直径より小さいことを特徴とする調整式歯顎矯正ブリッジとしている。
請求項９の発明は、請求項３記載の調整式歯顎矯正ブリッジにおいて、前記歯面固定装置は歯面固定台板を含むことを特徴とする調整式歯顎矯正ブリッジとしている。
【発明の効果】
【０００９】
本発明は360度調整可能な調整式歯顎矯正ブリッジを提供し、公知の矯正ブリッジの欠点を改善することができる。
【発明を実施するための最良の形態】
【００１０】
図１に示すように、複数の歯顎矯正ブリッジ１０は複数の歯面固定台板２０に対応し外歯面に固定される。矯正ワイヤー３０は該歯顎矯正ブリッジ１０に連接し、矯正ワイヤーを形成し、該矯正ワイヤー３０の引力により傾斜していた歯を正常な位置に戻す。
【００１１】
次に図２に示すように、該歯顎矯正ブリッジ１０(図１参照)は矯正ワイヤー固定装置と調整式装置を含む。本実施例における矯正ワイヤー固定装置は矯正ワイヤー固定爪１１０で、調整式装置は陽歯リング１２０(或いは、内リングと呼称)、光滑外リング面１２２(或いは、外リングと呼称)、弾性体１４０の組み合わせ構造である。
該陽歯リング１２０は該矯正ワイヤー固定爪１１０下方に固定し、しかも該光滑外リング面１２２及び陽歯構造リング面１２４を具える。該陽歯構造リング面１２４は該光滑外リング面１２２下方に位置し、しかも該陽歯構造リング面１２４の直径は該光滑外リング面１２２の直径より大きい。
外カバー台１３０は該陽歯リング１２０に被さり押さえ、しかもそれは陰歯構造リング面１３２と光滑内リング面１３４を具える。該光滑内リング面１３４は該陰歯構造リング面１３２下方に位置し、しかもその直径は該陰歯構造リング面１３２の直径より大きく、該陰歯構造リング面１３２の直径は該外カバー台１３０上方開口１３６の直径より大きい。本実施例では、該光滑内リング面１３４と該陽歯構造リング面１２４は相互に噛合う。
弾性体１４０は該外カバー台１３０内の陽歯リング１２０下方に設置するが、本実施例では、該弾性体１４０は弾性金属片である。これにより、該歯顎矯正ブリッジ１０は圧力を受けない時、該弾性金属片は該陽歯リング１２０と該矯正ワイヤー固定爪１１０に上向きの力を提供し、これにより該陽歯構造リング面１２４は該陰歯構造リング面１３２に噛合い、該矯正ワイヤー固定爪１１０を回転不能に固定する。
この他、本発明の歯顎矯正ブリッジはさらに歯面固定装置を含む。該歯面固定装置は該調整式装置を歯の表面に固定するが、この歯面固定装置は歯面固定台板２０で、それは該弾性体１４０の下方に位置し、該外カバー台１３０に連接する。
【００１２】
すなわち、上記矯正ワイヤー固定装置は矯正ワイヤーを固定し、調整式装置は該矯正ワイヤー装置下方に位置し、これにより調整式装置は該矯正ワイヤー固定装置を回転可能とし、固定可能とし、こうして、該矯正ワイヤー固定装置は回転を通して矯正ワイヤーを引っ張り、歯の矯正に対して特定の方向かつ特定の力の調整を行い、歯面固定装置を該調整式装置により歯の歯面に固定される。
また該陽歯リング１２０は該矯正ワイヤー装置下方に固定される。該陽歯リング１２０の外リング面には複数の陽歯構造１２４を具え下半分を取り巻く。該外カバー台１３０は該陽歯リング１２０に被さり押さえ、該外カバー台１３０の内リング面は複数の陰歯構造１３２を具え、上半分を取り巻く。
該陰歯構造１３２が形成するリング面の直径は該外カバー台１３０の内リング面の直径より小さく、しかも該外カバー台１３０上方の開口１３６の直径は該陰歯構造１３２が形成するリング面の直径より小さい。該陰歯構造１３２と該陽歯構造１２４は相互に噛合う。
また該弾性体１４０は該外カバー台１３０の内側と内リング下方に設置される。
【００１３】
次に別種の実施例では、前記調整式装置は内リングと外リングを含む。
該内リングは矯正ワイヤー固定装置の下方に固定し、該内リングの外リング面には複数の第一逆防止式陽歯構造を具える。該外リングは該内リングに被さり押さえ、該外リングの内リング面には複数の第二逆防止式陽歯構造を具える。該外リング上方開口の直径は該第一逆防止式陽歯構造が形成するリング面の直径より小さく、これにより該内リングは該外リング内において被さり押さえる。
本実施例は回転と固定が便利な調整式装置を提供するが、逆防止式陽歯構造により上記実施例のような矯正ワイヤー固定装置双方向回転を提供することはできず、矯正ワイヤー固定装置の一方向で、かつ逆にならない回転を提供することができるだけである。
【００１４】
続いて図３に示すように、本発明の2種の実施例の差異は、上図では矯正ワイヤー固定爪１１０を使用し、下図では矯正ワイヤー固定管１１５を使用する点である。しかし、固定爪、固定管、或いは他の効果が等しい構造共に、本発明の矯正ワイヤー固定装置の範疇に含まれる。
該矯正ワイヤー固定爪１１０或いは矯正ワイヤー固定管１１５は陽歯リング上方に連接、固定し、該外カバー台１３０は該陽歯リングに被さり押さえ、該歯面固定台板２０に連接、固定する。
該外カバー台１３０上方の開口１３６の直径は該陽歯リングの光滑外リング面１２２の直径より大きく、しかも該陽歯構造リング面１２４(図２参照)の直径より小さいため、該陽歯リングに被さり押さえることができる。
【００１５】
次に図４、５は図３が示す実施例の操作時の部分分解図である。図４は該矯正ワイヤー固定爪１１０の圧力を受けない時の構造を示し、図５は該矯正ワイヤー固定爪１１０が圧力を受けている時の構造を示す。
該矯正ワイヤー固定爪１１０が圧力を受けない時、該弾性体１４０は該陽歯リング(光滑外リング面１２２と陽歯構造リング面１２４により構成する)と該矯正ワイヤー固定爪１１０に上向きの力を提供し、これにより該陽歯構造リング面１２４は該外カバー台１３０の陰歯構造リング面１３２に噛合い、さらに該矯正ワイヤー固定爪１１０の固定を回転不能とする。この時の矯正ワイヤー固定爪１１０は該矯正ワイヤー３０に別の外力を加えていない。
該矯正ワイヤー固定爪１１０が圧力を受ける時には、該矯正ワイヤー固定爪１１０と該陽歯リング(光滑外リング面１２２と陽歯構造リング面１２４により構成する)は該弾性体１４０を圧縮し、これにより該陽歯構造リング面１２４は該外カバー台１３０の光滑内リング面１３４が形成する空間に後退し、該光滑外リング面１２２は該外カバー台１３０の陽歯構造リング面１３２が形成する空間に後退する。この時、該矯正ワイヤー固定爪１１０は双方向の回転が可能で、該矯正ワイヤー３０を引っ張ることができ、これにより、該矯正ワイヤー３０の歯に対する力を調整することができる。こうして個別の症例に応じて必要な調整を行い最適な矯正力を達せいすることができる。
該歯面固定板２０は該外カバー台１３０を歯面に固定する他、該弾性体１４０を支える機能を提供し、これにより該弾性体１４０は該歯面固定板２０の支えにより該陽歯リングと該矯正ワイヤー固定爪１１０に上向きに押す力を加える。
該光滑外リング面１２２の直径、該陽歯構造リング面１２４の直径、陰歯構造リング面１３２の直径、該光滑内リング面１３４の直径、該外カバー台１３０上方開口の直径等間の大きさの関係は図２に示す通りである。
【図面の簡単な説明】
【００１６】
【図１】歯列矯正の指示図である。
【図２】本発明最適実施例の部品分解図である。
【図３】本発明最適実施例2種の立体図である。
【図４】図３が示す実施例の操作時の部分断面図である。
【図５】図３が示す実施例の操作時の部分断面図である。
【符号の説明】
【００１７】
１０  歯顎矯正ブリッジ
１１０  矯正ワイヤー固定爪
１２０  陽歯リング
１２２  光滑外リング面
１２４  陽歯構造リング面
１３０  外カバー台
１３２  陰歯構造リング面
１３４  光滑内リング面
１３６  上方開口
１４０  弾性体
１１５  矯正ワイヤー固定管
２０  歯面固定台板
３０  矯正ワイヤー
【図１】
2008073312.tif 000003
【図２】
2008073312.tif 000004
【図３】
2008073312.tif 000005
【図４】
2008073312.tif 000006
【図５】
2008073312.tif 000007